(57)【特許請求の範囲】
【請求項１】
いずれも両面段ボール紙又は厚紙を素材に用いた、
仕切板（９）、背板（１１）、正面板（１３）、重ね域（１５）及び支持板（１６）が連接された巻筒体（１）と、
右端に天地領域を窪ませた折線を介してＡ返し片（５）を有し、左端に天地に膨出したＡ膨出域（６）を有する左スライド板（３）と、
左端に天地領域を窪ませた折線を介してＢ返し片（７）を有し、右端に天地に膨出したＢ膨出域（８）を有する右スライド板（４）と
から成り、
巻筒体（１）の仕切板（９）を中心にして、スライド板（３，４）を挿入するための厚み域（１０，１２，１４）を折り線の箇所に設けつつ背板（１１）及び正面板（１３）を順に外側に折り巻いてゆくことにより仕切り板（９）により区分される前室（１７）及び後室（１８）を設け、
正面板（１３）の天縁中央領域に膨出縁（２１）を設け、
重ね域（１５）の裏面を背板（１３）の上部領域に固定し、谷折り線を介して支持板（１６）を後方に突出させ、
仕切板（９）の右縁に設けたｂ返し片（１９）を、仕切板（９）と正面板（１３）の間の前室（１７）の中に折り返し、
背板（１１）の左縁に設けたａ返し片（２０）を、背板（１１）と仕切板（９）の間の後室（１８）の中に折り返し、
左スライド板（３）を前室（１７）に、右スライド板（４）を後室（１８）に、それぞれ収納し、Ａ返し片（５）とａ返し片（２０）が、Ｂ返し片（７）とｂ返し片（１９）がそれぞれ係合することにより左右スライド板（３，４）の抜けが防止されるようになっていることを特徴とするスライド伸縮表示板。
【発明の詳細な説明】
【０００１】
【発明の属する技術分野】
本発明は、商品の上へ乗せたり間へ挟んだりして商品のＰＲを行う、表示板に関する。
【０００２】
【従来の技術】
従来の表示板はプラスチック製で、二重構造の正面板の隙間へ紙を差込んで、商品の上へ乗せて表示する物であった。
【０００３】
【発明が解決しようとする課題】
従来の技術にあっては、商品の上に乗せる事しかできず、表示面の面積を変化させる事はできない物であった事から、本発明では、商品の上に乗せる事の他、上下の商品の間へ差込んでも表示する事ができ、内部に収納されたスライド板を左右に引き出す事によって表示面積を変化させ、今まで隠れていた面を観察人が引き出す事ができる様にする事によって期待感を抱かせて、ＰＲ効果を高める事を目的とする。
【０００４】
【課題を解決するための手段】
巻筒体の背面中央を背方へ突出させた支持板によって自立させたり、商品の間へ差込んで陳列でき、巻筒体１内部に有する空間を仕切板によって前室と後室に区分し、前室へ右スライド板を、後室へ左スライド板を収納して、左右に引き出す事によって、両スライド板は緩衝し合わずにスムーズにスライドして表示面積を変化させる事ができ、内側へ折り返された返し片どうしがぶつかり合うので、両スライド板は抜け落ちない。
【０００５】
【発明の実施の形態】
発明の実施の形態について図面を参照して説明するならば、展開した状態で示した平面図の図１に於いて、巻筒体１とスライド板２との主要部によって構成され、巻筒体１は渦巻き状に巻き込んで組み立てる事から内側から順に各面を述べるならば、仕切板９を設け、山折り線に挟まれた内天厚み域１０を介して背板１１を設け、僅かに幅を増して山折り線に挟まれた地厚み域１２を介して正面板１３を設け、正面板１３の天縁中央を適度に膨出させて膨出縁２１を設けても良く、更に僅かに幅を増して山折り線に挟まれた外天厚み域１４を介して重ね域１５を設け、重ね域１５の裏面と背板１１の上部領域とを接着する事によって巻筒体１は固定されるのであり、谷折り線を介して支持板１６を設け、巻筒体１の展開形状は縦長矩形であるものの、部分的に左右へ突出した片を有し、仕切板９の右縁へ谷折り線を介してｂ返し片１９を設け、背板１１の左縁へ山折り線を介してａ返し片２０を設け、
スライド板２は左スライド板３と右スライド板４とを有し、左スライド板３の右縁へ山折り線を介してＡ返し片５を設け、左側領域は天地へ膨出した形状のＡ膨出域６を有し、右スライド板４の左端へ山折り線を介してＢ返し片７を設け、右側領域は天地へ膨出した形状のＢ膨出域８を有し、両膨出域は自由にデザイン化された形状であり、ＡＢ返し片の隣接折線を中心とする天地領域は適度に窪ませる事によって、返し片を折り返した状態で折線箇所が細くなって、挿入しやすくなる。
【０００６】
組み立てた状態を背方から示した部分斜視図の図２に於いて、巻筒体１は渦巻き形状に巻かれて組み立てられ、重ね域１５の裏面へ糊を塗布して接着固定され、背板１１と正面板１３とで挟まれて有する空間を仕切板９で仕切られて前室１７と後室１８は設けられ、前室１７へ右スライド板４を収納し、後室１８へ左スライド板３を収納して組み立てを終了し、支持板１６が背方へ突き出ている事によって自立でき、商品の間へ差込んで表示する事が可能となる。
【０００７】
スライド板を収納した状態で正面方向から示した斜視図の図３に於いて、スライド板２を収納した状態では、中央に正面板１３、両側へＡ膨出域６とＢ膨出域８とが表示されており、巻筒体１内に何が収納されているのかの期待感を秘めており、Ａ膨出域６とＢ膨出域８とは巻筒体１の開口部とぶつかっているので、スライド板２は収納方向への抜け落ちを防止している。
【０００８】
スライド板を引き出した状態で正面方向から示した斜視図の図４に於いて、スライド板２を左右へ引き出す事によって、表示面積を変化させる事ができる他、巻筒体１によって隠れていた面が新たに現れる事によって一種の期待感の提供ができ、ＰＲ効果を高める事ができる。
【０００９】
スライド板を引き出した状態をＡ−Ａ断裁線で断裁した部分断面図の図５に於いて、左スライド板３はＡ返し片５とａ返し片２０とがぶつかっている事によって引き抜け落ちる事は防止され、右スライド板４はＢ返し片７とｂ返し片１９とがぶつかっている事によって引き抜け落ちる事は防止されている。
【００１０】
スライド板を挿入して行く途中過程で示した断面図の図６に於いて、後室１８へ左スライド板３は収納され、前室１７へ右スライド板４は収納され、左右のスライド板が別々の室に収納されている事によって、先端縁どうしはぶつからずにスムーズに挿入する事ができる。
【００１１】
【発明の効果】
巻筒体は渦巻き状に巻かれて固定されているので、仕切板で仕切られて前室と後室に区分され、スライド板を別々の室に収納している事によって挿入時には先端縁がぶつがらず、引き出し時には返し片どうしがぶつかり合うので抜け落ちを防止でき、スライド板によって表示面積を変える事ができるので、ユーザーがスライド板を引き出す時に期待感を秘めているのでＰＲ効果は高まり、支持板が背方へ突出している事によって自立できる他、商品の隙間へ差込んで表示する事もできる。
【図面の簡単な説明】
【図１】展開した状態で示した平面図。
【図２】組み立てた状態を背方から示した部分斜視図。
【図３】スライド板を収納した状態で正面方向から示した斜視図。
【図４】スライド板を引き出した状態で正面方向から示した斜視図。
【図５】スライド板を引き出した状態をＡ−Ａ断裁線で断裁した部分断面図。
【図６】スライド板を挿入して行く途中過程で示した断面図。
【符号の説明】
１  巻筒体
３  左スライド板
４  右スライド板
５  Ａ返し片
６  Ａ膨出域
７  Ｂ返し片
８  Ｂ膨出域
16  支持板
17  前室
18  後室
19  ｂ返し片
20  ａ返し片
【図１】
0003875739.tif 000002
【図２】
0003875739.tif 000003
【図３】
0003875739.tif 000004
【図４】
0003875739.tif 000005
【図５】
0003875739.tif 000006
【図６】
0003875739.tif 000007